(57)【要約】    【課題】  視聴者の要望に応じて高画質の視聴を可能とした視聴システムを提供する。    【解決手段】  画像情報を再生可能な携帯通信端末１０３の操作状況を示す情報を画像情報を記録可能な記録／再生装置１０２へ送信し、該送信された情報に基づいて記録／再生装置１０２の記録動作を制御する。【選択図】      図１
2005277585.tif 000002
【特許請求の範囲】
【請求項１】
画像情報を再生可能な視聴装置と、
画像情報を記録可能な記録装置と、
前記視聴装置の操作状況を示す情報を前記記録装置へ送信する送信手段と、
前記送信手段により送信された情報に基づいて前記記録装置の記録動作を制御する制御手段と
を有することを特徴とする視聴システム。
【請求項２】
前記送信手段は、前記操作状況を示す情報を時間遅れ無しで送信することが可能であることを特徴とする請求項１記載の視聴システム。
【請求項３】
前記操作状況を示す情報とは、視聴開始・視聴終了時刻・放送局（名称／周波数）・セ
グメント番号を示す情報であることを特徴とする請求項１記載の視聴システム。
【請求項４】
受信時刻以前の記録開始時刻を検出する検出手段を有し、前記検出手段が受信時刻以前の記録開始時刻を検出した場合は、受信確認時間間隔以上に相当する容量の記録バッファメモリの内容を記録情報として利用することを特徴とする請求項１記載の視聴システム。
【請求項５】
受信確認動作の直後から記録動作を開始し、次の受信確認動作の確認結果に基づき記録指示の情報が生成されない場合には、先の記録内容を破棄し、新たに記録動作を開始するように制御する第２の制御手段を有することを特徴とする請求項１記載の視聴システム。
【請求項６】
受信確認動作の直後から記録動作を開始し、次の受信確認動作の確認結果に基づき記録指示の情報が生成されない場合には、先の記録内容を破棄し、記録動作を継続するように制御する第３の制御手段を有することを特徴とする請求項１記載の視聴システム。
【請求項７】
画像情報を再生可能な視聴装置と、前記視聴装置で視聴する際にその視聴内容に関する視聴者自身の評価に基づき視聴評価結果情報を生成する生成手段と、前記画像情報を記録可能な記録手段と、前記視聴評価結果情報を前記記録手段へ送信する送信手段と、前記送信手段により送信された前記視聴者評価結果情報に基づき前記記録手段に記録された画像情報の再生動作を制御する制御手段とを有することを特徴とする視聴システム。
【請求項８】
前記視聴装置は、携帯型視聴装置であることを特徴とする請求項１または７記載の視聴システム。
【請求項９】
前記視聴装置は、携帯通信端末であることを特徴とする請求項１または７記載の視聴システム。
【請求項１０】
前記視聴装置は、携帯電話であることを特徴とする請求項１または７記載の視聴システム。
【請求項１１】
前記画像情報は、動画像情報であることを特徴とする請求項１または７記載の視聴システム。
【請求項１２】
前記画像情報は、デジタル形式であることを特徴とする請求項１または７記載の視聴システム。
【請求項１３】
前記記録装置は、前記画像情報を高品質に記録可能であることを特徴とする請求項１または７記載の視聴システム。
【請求項１４】
前記高品質とは、前記画像情報の画像解像度が高いことであることを特徴とする請求項１３記載の視聴システム。
【請求項１５】
前記高品質とは、画像情報の時間分解能が高いことであることを特徴とする請求項１３記載の視聴システム。
【請求項１６】
前記高品質とは、画像情報の受信セグメント数が多いことであることを特徴とする請求項１３記載の視聴システム。
【請求項１７】
前記視聴評価結果情報は、所望期間の視聴開始時刻と視聴終了時刻を示す情報であることを特徴とする請求項７記載の視聴システム。
【請求項１８】
前記視聴評価結果情報は、不要期間の視聴開始時刻と視聴終了時刻を示す情報であることを特徴とする請求項７記載の視聴システム。
【請求項１９】
前記生成手段は、前記視聴評価結果情報を前記視聴装置内で生成することを特徴とする請求項７記載の視聴システム。
【請求項２０】
前記視聴評価結果情報は、一旦前記視聴装置にて記録することを特徴とする請求項７記載の視聴システム。
【請求項２１】
前記送信手段は、前記視聴評価結果情報を、視聴開始と視聴終了の組で登録され次第
逐次送信することを特徴とする請求項７記載の視聴システム。
【請求項２２】
前記逐次送信は電波により、また、一旦記録した後の一括送信は赤外線により行うことを特徴とする請求項２１記載の視聴システム。
【請求項２３】
前記視聴装置と記録装置は、サイマルキャスト放送の別電波により情報を受信することを特徴とする請求項１または７記載の視聴システム。
【請求項２４】
画像情報の予約視聴設定機能を有する視聴装置において、
予約視聴設定機能により設定された予約視聴情報に基づき前記視聴装置の視聴制御を行う制御手段と、
前記制御手段の制御実行に先立ち前記画像情報を記録する記録装置へ前記予約視聴情報を送信する送信手段と
を有することを特徴とする視聴装置。
【請求項２５】
前記送信手段は、視聴開始時刻以前に送信を完了させることを特徴とする請求項２４記載の視聴装置。
【請求項２６】
前記予約視聴情報は、視聴開始・視聴終了時刻・放送局（名称／周波数）・セグメント番号を示す情報であることを特徴とする請求項２４記載の視聴装置。
【請求項２７】
前記視聴装置と記録装置は、サイマルキャスト放送の別電波により情報を受信することを特徴とする請求項２４記載の視聴装置。
【請求項２８】
定期的なＰＵＬＬ確認ではなく、ＰＵＳＨ型とすることを特徴とする請求項２４記載の視聴装置。
【請求項２９】
画像情報を再生可能な視聴装置の操作状況を示す情報を画像情報を記録可能な記録装置へ送信する送信工程と、
前記送信工程により送信された情報に基づき前記記録装置の録画動作を制御する制御工程と
を有することを特徴とする視聴システムの制御方法。
【請求項３０】
画像情報を再生可能な視聴装置で視聴する際にその視聴内容に関する視聴者自身の評価に基づき視聴評価結果情報を生成する生成工程と、
前記視聴評価結果情報を画像情報を記録可能な記録装置へ送信する送信工程と、
前記送信工程により送信された前記視聴者評価結果情報に基づき前記記録装置に記録された画像情報の再生動作を制御する制御工程と
を有することを特徴とする視聴システムの制御方法。
【請求項３１】
予約視聴情報に基づき画像情報の予約視聴設定機能を有する視聴装置の視聴制御を行う制御工程と、
前記制御工程の制御実行に先立ち画像情報を記録する記録装置へ前記予約視聴設定機能により設定された予約視聴情報を送信する送信工程と
を有することを特徴とする視聴装置の制御方法。
【請求項３２】
請求項２９または３０に記載の視聴システムの制御方法を実現するためのコンピュータ読み取り可能なプログラムコードを有することを特徴とする制御プログラム。
【請求項３３】
請求項３１に記載の視聴装置の制御方法を実現するためのコンピュータ読み取り可能なプログラムコードを有することを特徴とする制御プログラム。
【請求項３４】
請求項３２または３３に記載の制御プログラムを格納したことを特徴とする記憶媒体。
【発明の詳細な説明】
【技術分野】
【０００１】
本発明は、視聴システム、視聴システムの制御方法、視聴装置、視聴装置の制御方法、プ制御ログラム及び記憶媒体に関する。
【背景技術】
【０００２】
従来、携帯電話等の携帯通信端末からネットワークを介して自宅にあるビデオ装置（録画／再生装置）を制御し、予約録画を行うシステムが知られている（例えば、特許文献１参照）。
【０００３】
また、従来、携帯電話等の携帯通信端末によりデジタルテレビ放送の視聴が可能なシステムも提案されている。
【特許文献１】特開２００３−６１０２０号公報
【発明の開示】
【発明が解決しようとする課題】
【０００４】
携帯通信端末での視聴は、時間と場所に束縛されずに、テレビ番組の(動画像・音声)情報を入手できることが大きな魅力となっているが、携帯電話等の携帯通信端末を用いて家庭内にある据置型の録画／再生装置の録画動作を設定するためには、予約録画設定等の煩わしい操作が必要であり、ここで設定した時刻に視聴が制約を受けてしまい、携帯通信端末から成る視聴装置の魅力を充分に生かしきれないという問題があった。
【０００５】
また、デジタルテレビ放送の視聴が可能な携帯通信端末に備えられた表示手段における表示画面の面積は小さく、更に、携帯通信端末向けの放送用に割り当てられた電波帯域が狭いことから、放送用データのデータ圧縮率を高く設定することになり、表示／再生画素数の低下に加え、動画の駒落ちも発生し易いので、画像品質的には、ソース画像に対して大きな画質低下を発生するという問題があった。
【０００６】
また、従来技術を用いて、予約録画にて高画質録画を実行できたとしても、最近のテレビ番組構成は長時間編成のものも多く、その全てを高画質で視聴する必要の無いものもあり、後に高画質での再視聴の際に、長時間録画された情報の中から所望部分を探し出すのに多くの手間がかかるという問題があった。
【０００７】
本発明は、上記従来技術の有する問題点に鑑みてなされたもので、視聴者の要望に応じて高画質の視聴を可能とした視聴システム、視聴システムの制御方法、視聴装置、視聴装置の制御方法、制御プログラム及び記憶媒体を提供することを目的とするものである。
【課題を解決するための手段】
【０００８】
上記目的を達成するため、本発明の視聴システムは、画像情報を再生可能な視聴装置の操作状況を示す情報を画像情報を記録可能な記録装置へ送信する送信手段と、前記送信手段により送信された情報に基づいて前記記録装置の記録動作を制御する制御手段とを有することを特徴とする。
【０００９】
また、上記目的を達成するため、本発明の視聴システムは、画像情報を再生可能な視聴装置と、前記視聴装置で視聴する際にその視聴内容に関する視聴者自身の評価に基づき視聴評価結果情報を生成する生成手段と、前記視聴評価結果情報を画像情報を記録可能な記録装置へ送信する送信手段と、前記送信手段により送信された前記視聴者評価結果情報に基づき前記記録装置に記録された画像情報の再生動作を制御する制御手段とを有することを特徴とする。
【００１０】
また、上記目的を達成するため、本発明の視聴装置は、画像情報の予約視聴設定機能を有する視聴装置において、予約視聴設定機能により設定された予約視聴情報に基づき前記視聴装置の視聴制御を行う制御手段と、前記制御手段の制御実行に先立ち前記画像情報を記録する記録装置へ前記予約視聴情報を送信する送信手段とを有することを特徴とする。
【００１１】
また、上記目的を達成するため、本発明の視聴システムの制御方法は、画像情報を再生可能な視聴装置の操作状況を示す情報を画像情報を記録可能な記録装置へ送信する送信工程と、前記送信工程により送信された情報に基づき前記記録装置の記録動作を制御する制御工程とを有することを特徴とする。
【００１２】
また、上記目的を達成するため、本発明の視聴システムの制御方法は、画像情報を再生可能な視聴装置で視聴する際にその視聴内容に関する視聴者自身の評価に基づき視聴評価結果情報を生成する生成工程と、前記視聴評価結果情報を画像情報を記録可能な記録装置へ送信する送信工程と、前記送信工程により送信された前記視聴者評価結果情報に基づき前記記録装置に記録された画像情報の再生動作を制御する制御工程とを有することを特徴とする。
【００１３】
更に、上記目的を達成するため、本発明の視聴装置の制御方法は、予約視聴情報に基づき画像情報の予約視聴設定機能を有する視聴装置の視聴制御を行う制御工程と、前記制御工程の制御実行に先立ち前記画像情報を記録する記録装置へ前記予約視聴設定機能により設定された予約視聴情報を送信する送信工程とを有することを特徴とする。
【発明を実施するための最良の形態】
【００１４】
以下、最適な実施の形態について、図面に基づき説明する。
【００１５】
本発明の特徴は、画像情報を再生可能な視聴装置の操作状況を示す情報を画像情報を記録可能な録画装置へ送信する送信手段と、前記送信手段により送信された情報に基づいて前記録画装置の録画動作を制御する制御手段とを有することである。
【００１６】
また、本発明の特徴は、画像情報を再生可能な視聴装置と、画像情報を記録可能な記録装置と、前記視聴装置で視聴する際にその視聴内容に関する視聴者自身の評価に基づき視聴評価結果情報を生成する生成手段と、前記視聴評価結果情報を前記記録装置へ送信する送信手段と、前記送信手段により送信された前記視聴者評価結果情報に基づき前記記録装置に記録された画像情報の再生動作を制御する制御手段とを有することである。
【００１７】
また、本発明の特徴は、画像情報の予約視聴設定機能を有する視聴装置において、予約視聴設定機能により設定された予約視聴情報に基づき前記視聴装置の視聴制御を行う制御手段と、前記制御手段の制御実行に先立ち前記画像情報を記録する記録装置へ前記予約視聴情報を送信する送信手段とを有することである。
【００１８】
また、本発明の特徴は、画像情報を再生可能な視聴装置の操作状況を示す情報を画像情報を記録可能な記録装置へ送信する送信工程と、前記送信工程により送信された情報に基づき前記記録装置の記録動作を制御する制御工程とを有することである。
【００１９】
また、本発明の特徴は、画像情報を再生可能な視聴装置で視聴する際にその視聴内容に関する視聴者自身の評価に基づき視聴評価結果情報を生成する生成工程と、前記視聴評価結果情報を前記記録工程へ送信する送信工程と、前記送信工程により送信された前記視聴者評価結果情報に基づき前記画像情報を記録可能な記録装置に記録された画像情報の再生動作を制御する制御工程とを有することである。
【００２０】
更に、本発明の特徴は、予約視聴情報に基づき画像情報の予約視聴設定機能を有する視聴装置の視聴制御を行う制御工程と、前記制御工程の制御実行に先立ち前記画像情報を記録する記録装置へ前記予約視聴設定機能により設定された予約視聴情報を送信する送信工程とを有することである。
【００２１】
（第１の実施の形態）
まず、第１の実施の形態を、図１〜図８に基づき説明する。
【００２２】
図１は、本実施の形態に係る視聴システムにおける記録（録画）時の動作概要を示す図である。
【００２３】
本実施の形態においては、地上波デジタルテレビ放送を例に挙げて説明する。
【００２４】
図１において、１０１は放送用アンテナ、１０２は据置型のデジタル（高画質）記録／再生機（以下、記録／再生装置と記述する）、１０３は携帯電話等の携帯通信端末（携帯型の視聴装置）、１０４はメモリカード（Ｍ）、１０５は携帯通信端末（携帯電話）中継局、１０６はデータサーバ、１０７は第１のネットワーク端末、１０８は第２のネットワーク端末、１０９はネットワーク回線、１１０は受信アンテナである。
【００２５】
図１において、放送局で生成された送信用デジタル画像・音声のデータストリーム（符号列）を、放送用アンテナ１０１を介して送信する。この放送波の１チャネル分の周波数帯域を１３のセグメントに分割して（各分割領域をセグメントと称する）、その内１２セグメントを用いてＨＤ−ＴＶ（高精細テレビで、約６０フィールド）方式の画像情報を、残り１セグメントを用いてＱＶＧＡ（３２０×２４０画素）相当で１５フレーム毎秒のレートの簡易動画像情報を伝送する。１２セグメントを用いたＨＤ−ＴＶ情報は、受信アンテナ１１０を介して記録／再生装置１０２へ伝達され、該記録／再生装置１０２で記録される。
【００２６】
１セグメントを用いたＱＶＧＡ情報は、携帯通信端末１０３にて受信され、動画像に復元される。復元された画像情報は、携帯通信端末１０３に備えられた表示手段（表示器）の表示画面に表示され、音声情報は、同様に携帯通信端末１０３に備えられたスピーカまたはヘッドフォンジャック（いずれも図示せず）を経由して外部のヘッドフォン（図示せず）にて再生される。画像・音声情報等は、必要に応じて交換可能なメモリカード１０４へ記録される。
【００２７】
携帯通信端末１０３の動作に伴って、該携帯通信端末１０３に備えられた無線公衆回線を用いた通信機能を利用し、該携帯通信端末１０３の視聴状況をネットワーク（第１のネットワーク端末１０７、第２のネットワーク端末１０８、ネットワーク回線１０９）を経由して記録／再生装置１０２へ送信する。
【００２８】
まず、携帯通信端末１０３の電子メール（通信）機能を用いて、携帯通信端末１０３の視聴状況を携帯電話中継局１０５へ送信する。この携帯電話中継局１０５は、該当するデータをデータサーバ１０６へ転送し、該データサーバ１０６に一時格納する。
【００２９】
データサーバ１０６から第１のネットワーク端末１０７を通じて、ＴＣＰ／ＩＰ等の汎用プロトコルを用い、インターネット等のネットワーク回線１０９を経由して、記録／再生装置１０２側の第２のネットワーク端末１０８へデータを転送する。記録／再生装置１０２が携帯電話方式の無線通信機能を有していると、その通信路に起因する記録動作遅延量を小さく抑えることができる。
【００３０】
ここで、視聴装置である携帯通信端末１０３の画像解像度よりも記録／再生装置１０２の解像度の方が高く設定されている。また、視聴装置である携帯通信端末１０３の時間分解能よりも記録／再生装置１０２の時間分解能の方が高く設定されている。
【００３１】
携帯通信端末１０３の視聴状況の情報を電子メール形式で送信するが、いわゆるメールチェックの時間間隔の設定と記録／再生装置１０２側の記録（録画）動作の制御とを関連付け、通信システムによる記録（録画）動作の遅延を回避している。
【００３２】
具体的には、携帯電話のような待ち受け方式以外に、以下の２つの方法がある。
【００３３】
（１）メールチェックの間隔を仮に１０分間隔に設定し、伝送されるビデオのデータストリームが仮に平均６Ｍｂｐｓとすると、６×６０×１０＝３６００Ｍｂｉｔ＝４５０ＭＢ以上のバッファメモリを備えておけば、前回のメールチェック直後に記録（録画）開始の必要が生じた場合にも、前記バッファメモリの出力を記録情報に利用することで、記録（録画）タイミングの遅延を実質的にキャンセルすることができる。
【００３４】
（２）記録／再生装置１０２は、基本のスタンバイ状態で常に記録（録画）を実行しており、メールチェックの結果、記録（録画）開始の必要が無いと判断された場合に、最新のメールの発信時刻以前の記録（録画）内容を消去する。メールチェックの間隔をＴに設定している場合、次のチェックのタイミングが来るまでのＴ期間は、記録（録画）を継続する。次のメールチェックの結果、記録（録画）開始の必要が発生すれば、必要な時刻以前の記録（録画）データを消去し、記録（録画）動作を継続する。或いは、メールチェックの結果、記録（録画）の必要が無ければ、前回同様に最新のメールの発信時刻以前の記録（録画）内容を消去した上で記録（録画）動作を継続し、次のメールチェックに備える。
【００３５】
このような動作シーケンスにより、通信システムによる伝達遅延の影響を回避できる。
【００３６】
図２は、本実施の形態に係る視聴システムにおける編集時の動作概要を示す図であり、同図において、図１と同一部分には同一符号が付してある。
【００３７】
図２において、１０１は放送用アンテナ、１０３は携帯通信端末、１０４はメモリカード、２０１は携帯通信端末１０３の表示器（表示手段）、２０２は表示器２０１に設けられた開始（ＳＴＡＲＴ）ボタン、２０３は表示器２０１に設けられた終了（ＥＮＤ）ボタン、２０４はプレイリスト、２０５，２０６は不要領域、２０７は所望領域である。
【００３８】
以下、前述したように、携帯通信端末１０３で１セグメント情報を受信し、その番組内容に関する視聴者の視聴評価結果情報（この代表的な例としては、再生制御情報として利用するプレイリスト２０４）を作成する動作例について説明する。
【００３９】
視聴者が番組内容に関する視聴を評価した結果、必要な部分と不要な部分とに切り分け、各々の視聴開始時点と視聴終了時点とを記録（マーキング、インデックス「ＩＮＤＥＸ」付け）し、各部分をカットとして定義する。
【００４０】
必要な部分だけを各々定義したカットの集合体を記述したものが、いわゆるプレイリスト２０４で、これらの必要な領域（指定領域）だけを順次再生するといった使用法となる。
【００４１】
図２は、この必要な領域（視聴者の所望領域）２０７を、携帯通信端末１０３の表示器２０１の表示画面に表示された画像を参考にしながら、視聴開始点と視聴終了点とを、開始（ＳＴＡＲＴ）ボタン２０２と終了（ＥＮＤ）ボタン２０３とを操作することで視聴者が指定し、プレイリスト２０４を作成する様子を示している。
【００４２】
図２において、「ＶＩＤＥＯ  ＰＲＯＧＲＡＭ」と表示した領域２０７が所望領域部分で、その前後の領域２０５と領域２０６は、不要領域部分を示している。
【００４３】
これとは逆に、不要領域部分だけを定義するといった手法も考えられる。
【００４４】
図３は、本実施の形態に係る視聴システムにおける再生時の動作概要を示す図であり、同図において、図１と同一部分には同一符号が付してある。
【００４５】
図３において、１０２は記録／再生装置、１０３は携帯通信端末、１０４はメモリカード、１１０は受信アンテナ、３０１はＨＤ-ＴＶモニタである。
【００４６】
携帯通信端末１０３にて作成したプレイリスト２０４（図２参照）を、赤外線通信手段等の通信手段を用いて、携帯通信端末１０３から記録／再生装置１０２へ転送する。転送されたプレイリスト２０４を参照して、視聴者の所望の領域２０７部分だけを順次高画質なＨＤ-ＴＶモニタ３０１により表示する。
【００４７】
次に、前述の様な本実施の形態の具体的な構成について、図４〜図８に基づき説明する。
【００４８】
図４は、本実施の形態に係る視聴システムにおける送信側の構成を示すブロック図であり、同図において、４０１はＨＤ-ＴＶ番組情報、４０２は第１のエンコーダ（ＭＰＥＧ−２  ＥＮＣＯＤＥ）、４０３は第１の変調器（変調−１）、４０４は送信器、４０５はダウンコンバータ（ＤＯＷＮ  ＣＯＮＶＥＲＴ）、４０６は第２のエンコーダ（ＭＰＥＧ−４  ＥＮＣＯＤＥ）、４０７は第２の変調器（変調−２）、４０８はアンテナである。
【００４９】
放送局で制作したＨＤ-ＴＶ番組情報４０１を第１のエンコーダ４０２とダウンコンバータ４０５へ供給する。第１のエンコーダ４０２の出力は、いわゆるＭＰＥＧ-２  ＴＳ（トランスポート・ストリーム）に変換され、第１の変調器４０３で固定受信を想定した電波送信に適した信号に変調された後、送信器４０４へ供給される。
【００５０】
一方、ダウンコンバータ４０５の出力は、ＱＶＧＡ並みの情報に変換される。これは、画素平面空間で、３２０×２４０画素へ縮小処理され、時間軸では、１５ｆｐｓ（毎秒フレーム）に駒落ちした簡易動画に間引き処理される。この簡易化されたＱＶＧＡ相当の画像情報を第２のエンコーダ４０６で、ＭＰＥＧ-４データストリームに変換され、移動或いは携帯通信端末による受信を想定した電波送信に適した信号に変換された後、送信器４０４へ供給され、第１の変調器４０３の出力信号と同期を取りながら、送信器４０４と送信アンテナ４０８とを用いてテレビ放送波を送信する。
【００５１】
図５は、本実施の形態に係る視聴システムにおける携帯通信端末が受信側の場合の構成を示すブロック図であり、同図において、図１と同一部分には同一符号が付してある。
【００５２】
図５において、５００ａは通話・データ通信等の一般的な携帯電話機能を有する通信機ブロック、５００ｂはデジタルテレビ情報を受信・視聴・記録可能なＴＶ（テレビ）ブロック、５００ｃは両ブロック５００ａ，５００ｂに共通のシステム制御やユーザインタフェース関係の共通ブロックである。
【００５３】
まず、通信機ブロック５００ａについて説明する。
【００５４】
通信機ブロック５００ａは、アンテナ５０１、送／受信器５０２、変／復調器５０３、オーディオコーデック（エンコーダとデコーダの複合機能ユニット：ＡＵＤＩＯ  ＣＯＤＥＣ）５０４、マイク（ＭＩＣ）５０５、マイクアンプ（ＡＭＰ）５０６、スピーカ（ＳＰ）５０７、パワーアンプ（音声信号増幅器：ＡＭＰ）５０８を有している。
【００５５】
そして、受信時は、通信用の電波を受信するためのアンテナ５０１からの受信信号が送／受信器５０２へ供給され、変／復調器５０３にて通信データ列へ変換される。このデータ列中の音声データをオーディオコーデック５０４にてデコード（復号）し、音声データへ変換する。音声データ以外は、共通ブロック５００ｃの後述するシステム制御手段５１５へ供給する。音声データ以外のデータとしては、電子メール等の文字キャラクタデータや、イラストや自然画像（静止画、動画）の画像データ、その他の通信に係る状態を示すステータスデータや制御データ等が含まれる。
【００５６】
オーディオコーデック５０４にてデコード（復号）された音声データは、アナログの音声信号の形態であり、パワーアンプ５０８にて信号を増幅して、スピーカ５０７にて電気信号から音響信号に変換される。
【００５７】
送信時、話者の声はマイク５０５にて音響信号から電気信号に変換され、マイクアンプ５０６にてオーディオコーデック５０４の入力部のＡ／Ｄ（アナログ／デジタル）変換器（不図示）により処理できる信号レベルまで増幅し、オーディオコーデック５０４にて、デジタルデータ圧縮を伴うエンコード処理を行う。このエンコードされたデジタルデータと、共通ブロック５００ｃの後述するシステム制御手段５１５から出力された音声データ以外のデータとを合わせて、変／復調器５０３にて変調し、送信器５０２で生成された信号が、アンテナ５０１から送信電波として放出される。
【００５８】
次に、ＴＶブロック５００ｂについて説明する。
【００５９】
ＴＶブロック５００ｂは、アンテナ５０９、テレビチューナ５１０、復調器５１１、記録手段５１２、ＭＰＥＧ-４デコーダ５１３を有している。
【００６０】
そして、放送波をアンテナ５０９で受信し、テレビチューナ５１０にて所望の放送チャネルの情報信号を選択・抽出し、復調器５１１にて、ＭＰＥＧ-４データストリームへ復調する。該データストリームを、ＭＰＥＧ-４デコーダ５１３にてＱＶＧＡ相当の解像度で、約１５フレーム毎秒の時間分解能の画像品質の動画情報へデコードし、共通ブロック５００ｃの後述する表示器５１６へ供給し、該表示器５１６にて動画像として表示する。
【００６１】
また、必要に応じて、共通ブロック５００ｃの後述する操作手段５１４を操作することで、共通ブロック５００ｃの後述するシステム制御手段５１５から指示データを生成することにより、記録手段５１２は、前記ＭＰＥＧ-４データストリームをメモリカード（Ｍ）１０４へ格納（記録）する。
【００６２】
この際に、後述するコピー管理情報を参照し、記録が許可されているか否かを確認する。
【００６３】
ここで、視聴装置である携帯通信端末の画像解像度よりも記録／再生装置の解像度の方が高く設定されている。また、視聴装置である携帯通信端末の時間分解能よりも記録／再生装置の時間分解能の方が高く設定されている。
【００６４】
次に、共通ブロック５００ｃについて説明する。
【００６５】
共通ブロック５００ｃは、ユーザインタフェース機能のための操作手段５１４、通信機ブロック５００ａ及びＴＶブロック５００ｃ全体のシステムを制御するシステム制御手段５１５、各種情報表示機能を担う表示手段５１６、近距離用データインタフェース機能を実現するために設けられた赤外線通信手段５１７を有している。
【００６６】
そして、操作手段５１４は、電源入り／切り、携帯電話機能を実現するための一般的な操作ボタン、ＴＶ機能の操作に必要な選局や記録（録画）開始・停止・早送り・逆送り・一時停止等を行うための操作ボタン、番組内容のユーザ評価を入力するための操作ボタン（ＳＴＡＲＴ／ＥＮＤ）、ＩＮＤＥＸ（マーカ）を打ち込むためのＩＮＤＥＸ（マーカ）打ち込みボタン、編集機能を実現するための各種編集情報入力ボタンや操作ボタン等から成る。
【００６７】
表示手段５１６は、一般的な液晶表示素子や有機ＥＬ等の表示デバイスを用いることができる。この表示手段５１６へ供給するデータは、通信機ブロック５００ａから成る携帯電話機能に必要な電話番号や電子メール情報等を基本にし、ＴＶブロック５００ｂで用いる選局操作等の情報や画像情報も選択的に（或いは組み合わせて）表示可能な構成とされている。
【００６８】
動画像情報は、ＭＰＥＧ−４デコーダ５１３から供給され、それ以外の文字データ等は、システム制御手段５１５から、ビットマップデータ或いはベクターデータとして供給される。
【００６９】
それらの情報を統合して、表示手段５１６の表示画面上へ表示する。
【００７０】
赤外線通信手段５１７は、ＩｒＤＡのようなデジタルインタフェース技術を用いることでも実現できる。また、赤外線以外の無線タグ方式等も利用可能である。
【００７１】
図６は、プレイリストの記述内容の最も簡素化された一例を示す図である。
【００７２】
図６に示すプレイリストでは、動画の管理上の最小単位であるシーンに連番を付けて『シーン番号』と呼んでいる。元の画像データに対して、要・不要の判断を行い、必要な所望領域の各々にシーン番号と開始点（ＳＴＡＲＴ）〜終了点（ＥＮＤ）とをタイムコードで定義して記録したものである。
【００７３】
図６では、略３０フレーム毎秒の規格を例にとって記載しているが、３０フレームからずれる部分の調整は、既存のドロップフレーム等の規格に準じれば良い。
【００７４】
以下、携帯通信端末にてテレビを視聴する際に、自宅等に設置した据置型の高画質記録／再生装置（以下、自宅端末と記述する）を連動制御するシーケンスについて、図７のフローチャートを用いて簡潔に説明する。
【００７５】
図７の右側には携帯通信端末の動作を示し、同図の左側には自宅端末の動作を示す。
【００７６】
まず、携帯通信端末の動作について説明する。
【００７７】
図７において、まず、ステップＳ７００で携帯通信端末の電源を投入（ＯＮ）する。次に、ステップＳ７０１でテレビ視聴モードに設定されたか否かを判断する。そして、テレビ視聴モードに設定された場合は、ステップＳ７０２へ進んで、自宅端末へ記録（録画）待機指示信号を送信する。次に、ステップＳ７０３で所望の放送局の視聴を開始したか否かを判断する。そして、所定以上の時間経過してもチャネル変更が無ければ、そのチャネルの視聴を開始したものと判断し、ステップＳ７０４へ進んで、視聴チャネル情報を、自宅端末へ送信する。
【００７８】
次に、ステップＳ７０５へ進んで、更に所定時間、上記チャネル設定に変更が無ければ視聴開始と判断し、次のステップＳ７０６へ進み、前述の視聴開始と判断した時刻を示す情報（視聴開始時刻情報）を自宅端末へ送信する。次に、ステップＳ７０７で上記設定条件が変更になるか否かを判断する。そして、設定条件が変更になると判断された場合は、ステップＳ７０８へ進む。
【００７９】
ステップＳ７０８では、視聴が終了したか否かを判断する。そして、視聴が終了していないと判断された場合は、前記ステップＳ７０３へ戻り、チャネル変更の有無と開始時刻のチェックを行い、これ等の情報を上記同様に自宅端末へ送信する。
【００８０】
一方、前記ステップＳ７０８において、視聴が終了したと判断された場合は、ステップＳ７０９へ進んで、視聴が終了したことを示す情報を自宅端末へ送信した後、ステップＳ７１０へ進み、ＴＶブロック５００ｂの電源をオフにして、視聴を終了する。
【００８１】
次に、自宅端末の動作について説明する。
【００８２】
自宅端末をモバイル連動モードに設定すると、本シーケンスがスタートする。
【００８３】
そして、まず、ステップＳ７１１では受信待ち受け状態で、携帯通信端末からの待機指示を受信すると、次のステップＳ７１２へ進む。ステップＳ７１２では、自宅端末を記録（録画）待機状態に設定する。次に、ステップＳ７１３では、受信チャネル情報の待ち受け状態であり、チャネル情報を受信すると、次のステップＳ７１４へ進む。ステップＳ７１４では、前記ステップＳ７１３において受信したチャネル情報に基づいてチャネル設定を行う。このチャネル情報は、放送局番号（２桁）と同局内の編成チャネル番号（１桁）から成る３桁チャネル番号か、これに代わるサービスＩＤ（識別子）を用いる。この際に、携帯通信端末により視聴の地域と自宅端末による受信地域とで放送局の違いが出る場合があるが、単純な局名や周波数だけでなく、系列局情報や、番組内容に関する情報も送信して参照することで、サイマルキャスト（同内容放送）を活かした連動記録（連動録画）が可能になる。更に、この状態で仮記録（仮録画）動作を開始する。
【００８４】
次に、ステップＳ７１５では、携帯通信端末が視聴を開始したという情報の受信待ち受け状態である。ここで、受信開始の時刻情報を受信すると、次のステップＳ７１６へ進む。ステップＳ７１６では、前記ステップＳ７１５において受信した視聴開始時刻に基づき『記録（録画）開始時刻のマーキング』を行う。ここで言うマーキングとは、先に仮記録（仮録画）動作を開始しておいた既記録（録画）データに対して、真の記録（録画）開始時刻に相当するデータに、その真の時刻を記録することである。管理用の別ファイルを生成して、記録データと前記時刻情報との対応付けを管理しても良い。このような構成にしておくことで、通信路による伝達遅延が発生しても、その遅延をキャンセルして、遅延の無い連動記録（録画）が実現可能になる。ちなみに、真の記録（録画）開始時刻以前の仮記録（仮録画）されたデータは、廃棄しても構わない。
【００８５】
次に、ステップＳ７１７へ進んで携帯通信端末での視聴終了情報を受信したか否かを判断する。そして、携帯通信端末での視聴終了情報を受信したと判断された場合は、次のステップＳ７１８へ進む。ステップＳ７１８では、記録（録画）動作を停止した後、本シーケンスを終了する。
【００８６】
図８は、本実施の形態に係る視聴システムにおける固定（家庭）使用のための据置型の記録／再生装置が受信側の場合の構成を示すブロック図である。
【００８７】
据置型の録画／再生装置は、簡易動画をモバイル系端末にて移動しながら視聴可能に成された１セグメント系の情報を処理する１セグメント系ブロック８００ａと、高画質な放送波に対応可能なマルチ・セグメント系処理ブロック８００ｂと、前記両ブロック８００ａ，８００ｂに共通のシステム制御やユーザインタフェース及び各種の通信関係の制御・通信系処理ブロック８００ｃとから構成されている。
【００８８】
まず、１セグメント系処理ブロック８００ａについて説明する。
【００８９】
１セグメント系処理ブロック８００ａは、アンテナ１１０ａ、チューナ８０１、復調器８０２、記録手段８０３を有している。
【００９０】
そして、１セグメント用放送波をアンテナ１１０ａで受信し、チューナ８０１にて所望の選局された番組情報を抽出し、復調器８０２にてデータストリームを生成する。このデータ列には、画像・音声情報の他、データ放送に関する情報と、システム制御関係の情報も含まれており、その内容に応じて、データＩＤやフラグ等の参考情報を用いて識別し、画像・音声情報であれば記録手段８０３へ、その他の情報であれば後述する制御・通信系ブロック８００ｃのシステム制御手段８１０へ供給する。
【００９１】
記録手段８０３は、復調器８０２にて生成されたＭＰＥＧ-４データストリームを、後述する制御・通信系ブロック８００ｃのシステム制御手段８１０からの指示に応じて、本体に設けたメモリカードスロットを利用して取り付けられた交換可能な半導体型記録媒体であるメモリカード１０４等へ記録される。記録媒体としては、前記半導体型記録媒体の他に、光ディスク（ＤＶＤ±ＲやＤＶＤ-ＲＡＭ）等のディスク形状の記録媒体等も利用可能である。
【００９２】
次に、マルチ・セグメント系処理ブロック８００ｂについて説明する。
【００９３】
マルチ・セグメント系処理ブロック８００ｂは、アンテナ１１０ｂ、チューナ８０４、復調器８０５、記録／再生手段８０６及びデコーダ（ＭＰＥＧ−２  ＤＥＣＯＤＥ）８０７を有している。
【００９４】
そして、例えば、１２セグメントのＨＤ-ＴＶ用放送波をアンテナ１１０ｂで受信し、チューナ８０４にて所望の選局された番組情報を抽出し、復調器８０５にてデータストリームを生成する。このデータ列には、画像・音声情報の他、データ放送に関する情報と、システム制御関係の情報も含まれており、その内容に応じて、データＩＤ（識別子）やフラグ等の参考情報を用いて識別し、画像・音声情報であればデコーダ８０７へ、その他の情報であれば後述する制御・通信系ブロック８００ｃのシステム制御手段８１０へ供給する。
【００９５】
記録／再生手段８０６は、復調器８０５にて生成されたＭＰＥＧ-２データストリームを、後述する制御・通信系ブロック８００ｃのシステム制御手段８１０からの指示に応じて、本体内に内蔵されたＨＤＤ(ハードディスクドライブ)等の記録媒体８０８へ記録される。記録媒体としては、前記固定式記録媒体であるＨＤＤの他に、光ディスク（ＤＶＤ±ＲやＤＶＤ-ＲＡＭ）等の交換可能な記録媒体を利用可能である。
【００９６】
次に、各種の制御・通信系の処理ブロック８００ｃについて説明する。
【００９７】
制御・通信系の処理ブロック８００ｃは、遠距離用データインタフェース機能を実現するためにインターネット等のネットワーク回線１０９に接続されたネットワーク端末１０８、ユーザインタフェース機能のための操作手段８０９、システム制御手段８１０、前記２つのインタフェース機能を統合・管理する通信インタフェース８１１、各種情報表示機能を担う大型表示手段３０１への文字情報の多重処理機能（ＯＳＤ：オンスクリーン表示機能）と、近距離用データインタフェース機能とを実現するために設けられた赤外線通信手段８１２、プレイリストメモリ８１３を有している。
【００９８】
なお、大型表示手段３０１は、いわゆるテレビモニタとして据置型の録画／再生装置と別体になったシステムで構築しても構わない。
【００９９】
操作手段８０９は、据置型の記録／再生装置を実現するために必要な電源入り／切り、ＴＶ機能の操作・選局、記録（録画）開始・停止・早送り・逆送り・一時停止・インデックスサーチ（前／後）等を行うための一般的な操作ボタン及び本発明の特徴を実現するための操作用のボタン等から成る。
【０１００】
表示手段へは、制御・通信系ブロック８００ｃで用いる選局操作等の情報や画像情報も選択的に（或いは組み合わせて）表示可能な構成とされている。動画像情報は、ＭＰＥＧ２デコーダから供給され、それ以外の文字データ等は、システム制御手段８１０から、ビットマップデータ或いはベクターデータとして供給される。それらの情報を統合して、表示手段の表示画面上へ表示する。
【０１０１】
また、赤外線通信手段８１２は、一般的な赤外線リモコン機能と、ＩｒＤＡ等のデジタルインタフェース機能とを兼ね備えた装置として構成することもできる。
【０１０２】
以下、再生時の具体的な動作を説明する。
【０１０３】
携帯通信端末にて作成した動画像再生制御情報（以下、プレイリストと記述する）を、赤外線通信手段５１７（図５参照）を用いて送信し、据置型の記録／再生装置の赤外通信手段８１２にて受信する。この情報は、通信インタフェース８１１を経由して、システム制御手段８１０にて処理され、プレイリストメモリ８１３へ格納される。次に、プレイリストメモリ８１３へ格納されたプレイリストに記述された情報を解析し、再生に必要な個所をタイムコード等に基づき、再生指示命令を順次組み立て、記録／再生手段８０６へ再生制御情報として送信する。
【０１０４】
図６に示す例の場合には、シーン０１のタイムコードゼロ〜３２分２秒２９フレームを再生し、次にシーン０２の３２分５秒２９フレーム〜５９分５秒２９フレームを再生し、次にシーン０３の１時間１０分〜１時間２５分５９秒２９フレームと言った手順で、プレイリストに沿って再生動作を制御する。
【０１０５】
（第２の実施の形態）
次に、第２の実施の形態を、図９〜図１１に基づき説明する。
【０１０６】
本施の形態は、プレイリストの記述内容の時間軸情報を再生時に補正するようにしたものである。
【０１０７】
なお、本実施の形態に係る全体のシステム構成は、上述した図１及び図８と略同様なので、これら各図を流用して説明する。
【０１０８】
ここでは、特に特徴的な時間軸情報の補正方法を中心にして、２種類の手法を以下に説明する。
【０１０９】
（１）変化点サーチ法
ここで、図８のプレイリストメモリ８１３に格納されている情報のタイムコードの中に、図９に示すように、不要カットの終了点の下位情報が、０１：０３（１秒３フレーム）と表記されていて、所望カットの開始点の下位情報が、０１：０５（１秒５フレーム）と表記されている場合を例に採り上げる。
【０１１０】
携帯通信端末１０３（図１参照）にて生成され、据置型の記録／再生装置１０２で受信したプレイリストは、モバイル放送用の１セグメント情報に基づいているので、フレームレートがマルチ・セグメント放送の高画質放送に比べると低く、一般的には３０フレーム毎秒（以下、ｆｐｓと記述する）に対して、１５ｆｐｓ程度と予測されている。
【０１１１】
従って、この１／２に駒落ちした情報を基に作成されたプレイリストは、当然、時間分解能力が１／２であるので最初に転送され、プレイリストメモリ８１３に格納されているプレイリストの時間分解能力も１／２である。
【０１１２】
このまま再生すると、期待したフレームに対して＋／−１フレームの誤差が発生する可能性が有り、場面転換等の画面の変化の激しい部分では、違和感を生じてしまう可能性が有る。
【０１１３】
そこで、場面転換等のフレーム間差の大きい、いわゆるシーンチェンジを検出し、受信プレイリストのタイムコードの前後で補正を行うものである。シーンチェンジ検出とは、連続する画面間の相関が所定以下に低下した場合、つまり、場面が急に大きく変化したら、動画中に場面転換が発生したと判断するものである。
【０１１４】
このシーンチェンジを検出するための検出手段は、図１０に示した（非）相関検出手
段１０００の構成が一般的である。図１０において、入力された動画像を１画面分フレーム遅延手段１００１に通し、その出力と遅延されていない入力との差を、差分演算手段１００２にて算出し、この算出結果が所定以上大きければ相関性が低下したので、場面転換が発生していると判断できるものである。
【０１１５】
次に、図９に模式的に示した編集点近辺のタイムコードの関係について説明する。
【０１１６】
前述した通り、図８のプレイリストメモリ８１３に格納されている情報のタイムコードの中に、図９に示すように、不要カットの終了点の下位情報が、０１：０３（１秒３フレーム）と表記されていて、所望カットの開始点の下位情報が、０１：０５（１秒５フレーム）と表記されているが、本来のフレームレートの動画像情報がそのまま１：０５に対応する以外に、１：０４〜１：０６まで変化する可能性が有る。そこで、前後１画面に対して（非）相関検出手段１０００の検出結果を用い、真の変化点が前後にずれていないかを確認する。
【０１１７】
本実施の形態の場合、１：０３と０：０４のフレーム間で、（非）相関検出手段１０００の出力が大きくなり、シーンチェンジが発生している事を検出したので、図８のプレイリストメモリ８１３に格納されている情報の、所望シーンの開始点を示すタイムコードを、１：０５から１：０４へ変更した様子を図９は示している。
【０１１８】
この例は、時間分解能力が２倍の開きを持つ場合であったが、それ以上に差が有る場合でも、多くとも低いレートの方の動画像２駒分の時間領域で高いレートの動画像データをサーチしてチェックすれば、シーンチェンジを判断できる。所定以上の画面間差が検出されなくても、前記サーチ範囲内での最低相関値の画面位置を検出できれば、略同様の目的を達せられる。
【０１１９】
（２）Ｉピクチャーリセット法
ＭＰＥＧという動画像圧縮方式は、Ｉピクチャー、Ｂピクチャー、Ｐピクチャーという大別して３種類の圧縮法を使い分けている。また、Ｉピクチャーから次のＩピクチャーの前までの間をＧＯＰと称する管理単位としている。
【０１２０】
ＨＤＤやＤＶＤ等で用いるＭＰＥＧ圧縮においても、これ等の仕組みが使われているが、一旦作成されたＭＰＥＧデータに対して再編集を行う場合を考えて、エンコードする際に、前述のシーンチェンジ検出を行い、シーンチェンジが検出されると、圧縮率の低いＩピクチャーを生成し、大きな画面変化でも符号化予測誤差ｎ発生を低く抑えるように配慮されている。
【０１２１】
また、再編集する際に、シーンチェンジ部分で分割処理をする可能性も高く、このようなＩピクチャー生成は、利便性の高い処理として広く使われる技術となっているようである。
【０１２２】
具体的なエンコード手順は、図１０に示した（非）相関検出手段１０００の構成を利用して、画面間相関性が所定量以上低下した場合に、場面転換が発生していると判断し、Ｉピクチャーの強制生成のためのリセット信号を発生し、そのリセット信号をＭＰＥＧエンコーダ１００３へ供給する。該ＭＰＥＧエンコーダ１００３は、リセット信号を受けると、強制的にＩピクチャーを生成し新たなＧＯＰとして処理する。これらの様子を、図１０の右下に模式的に示した。
【０１２３】
本発明の視聴システムの特徴の１つに、コピー管理コードでデータ複製に制約の掛かっている情報に関しても、有効な場合があるということである。
【０１２４】
ＣＣＩ（コピー制御情報）と言われる考え方を簡素化したコピー管理情報の一例を図１１に示す。
【０１２５】
主たる画像・音声情報の他に付加的情報として、メタデータ等の付加情報を含む場合が多いが、この中にコピー管理情報が含まれている場合が有る。代表的な分類では、コピー自由の『Ｆｒｅｅ』と１回だけコピー可能な『ＣｏｐｙＯｎｃｅ』、そして、絶対にコピーさせない『Ｎｅｖｅｒ』というように大別され、今後のデジタル地上波放送波には、『ＣｏｐｙＯｎｃｅ』を付けた番組が多数派を占めるであろうと言われている。その場合、一旦、据置型の高画質録画／再生装置で記録した情報を屋外へ持ち出して携帯通信端末で視聴するといった使用方法が大きく制約を受ける。当然、携帯通信端末編集用に簡易画像を書き出すこともできなくなる。
【０１２６】
そこで、予め別系統で記録しておいた携帯通信端末の情報を用いて編集するという本発明の仕組みが活かされ、携帯通信端末で作成したプレイリストを高画質記録した記録媒体上にプレイリスト情報を追記すれば、編集した画像のように、高画質での視聴が可能になる。
【０１２７】
（その他の実施の形態）
以上が本発明の実施の形態の説明であるが、本発明は、これら実施の形態に限られるものではなく、特許請求の範囲で示した機能、または実施の形態の構成が持つ機能を達成できる構成であれば、どのようなものであっても適用可能である。
【０１２８】
また、上記実施の形態では、地上波デジタルテレビ放送を例に説明したが、衛星放送の形式にも適用可能であり、テレビ（画像）情報以外にも、デジタルラジオ放送等の音声情報に対しても、高音質の３セグメント放送と、携帯版の１セグメント放送の関係にも、同様に適用可能である。
【０１２９】
また、携帯通信端末で、所望の時間になると視聴を開始させる予約視聴のためのタイマー設定を行うようにしても良い。その設定した情報を、設定した携帯通信端末から据置型の記録／再生装置へ転送し、携帯通信端末の視聴開始に同期して、据置型の記録／再生装置の記録（録画）動作を開始させることもできる。
【０１３０】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。この場合、記憶媒体から読み出されたプログラムコード自体が本発明の新規な機能を実現することになり、そのプログラムコードを記憶した記憶媒体及びプログラムは本発明を構成することになる。
【０１３１】
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１３２】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれることは言うまでもない。
【０１３３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【図面の簡単な説明】
【０１３４】
【図１】第１の実施の形態に係る視聴システムにおける記録（録画）時の構成を示す図である。
【図２】第１の実施の形態に係る視聴システムにおける編集時の構成を示す図である。
【図３】第１の実施の形態に係る視聴システムにおける再生時の構成を示す図である。
【図４】第１の実施の形態に係る視聴システムにおける送信側の構成を示すブロック図である。
【図５】第１の実施の形態に係る視聴システムにおける携帯通信端末が受信側の構成を示すブロック図である。
【図６】第１の実施の形態に係る視聴システムにおけるプレイリストの一例を示す図である。
【図７】第１の実施の形態に係る視聴システムの動作の流れを示すフローチャートである。
【図８】第１の実施の形態に係る視聴システムの動作の流れを示すフローチャートである。
【図９】第２の実施の形態に係る視聴システムにおける変化点サーチ法の説明図である。
【図１０】第２の実施の形態に係る視聴システムにおけるＩピクチャー・リセット法の説明図である。
【図１１】第２の実施の形態に係る視聴システムにおけるコピー管理コードの一例を示す図である。
【符号の説明】
【０１３５】
１０２      据置型のデジタル（高画質）記録／再生機（記録装置）
１０３      携帯通信端末（視聴装置）
１０９      ネットワーク回線
【図１】
2005277585.tif 000003
【図２】
2005277585.tif 000004
【図３】
2005277585.tif 000005
【図４】
2005277585.tif 000006
【図５】
2005277585.tif 000007
【図６】
2005277585.tif 000008
【図７】
2005277585.tif 000009
【図８】
2005277585.tif 000010
【図９】
2005277585.tif 000011
【図１０】
2005277585.tif 000012
【図１１】
2005277585.tif 000013